(57)【要約】【課題】住宅建物における耐震構造および免震構造と、地震に対して備えることの重要性とをわかり易く説明することができる耐震免震体験解説装置を提供する。【解決手段】住宅展示棟１０内に、起振装置１１が設けられるとともに、この起振装置１１上に横並びに耐震住宅２と免震住宅３とが設けられ、起振装置１１横には、この起振装置１１上の耐震住宅２と免震住宅３とを一階および二階から見学する通路１２が形成され、耐震住宅２および免震住宅３は、少なくともこの通路１２に面した部分に、耐震構造および免震構造が露出するようになされたものである。また、起振装置１１上に免震住宅３のみが設けられ、免震装置を機能させたり、機能停止させたりできるようになされたものである。【選択図】  図１
2006208562.tif 000002
【特許請求の範囲】
【請求項１】
住宅展示棟内に、起振装置が設けられるとともに、この起振装置上に横並びに耐震住宅と免震住宅とが設けられ、起振装置横には、この起振装置上の耐震住宅と免震住宅とを一階および二階から見学する通路が形成され、耐震住宅および免震住宅は、少なくともこの通路に面した部分に、耐震構造および免震構造が露出するようになされたことを特徴とする耐震免震体験解説装置。
【請求項２】
住宅展示棟内に、起振装置が設けられるとともに、この起振装置上に免震住宅が設けられ、起振装置横には、この起振装置上の免震住宅を一階および二階から見学する通路が形成され、免震住宅は、少なくともこの通路に面した部分に、耐震構造および免震構造が露出するようになされるとともに、免震装置を機能させたり、機能停止させたりできるようになされたことを特徴とする耐震免震体験解説装置。
【発明の詳細な説明】
【技術分野】
【０００１】
本発明は、住宅建物における耐震構造および免震構造の効果をわかり易く説明するための体験解説装置に関するものである。
【背景技術】
【０００２】
従来より、住宅建物においては、地震が発生した場合に備えて、数々の耐震構造や免震構造が施されている。
【０００３】
これらの耐震構造や免震構造は、住宅建物のカタログに紹介したり、展示住宅に訪れた購入予定者に、口頭で説明したりしていた。そして、この説明によって、耐震構造や免震構造に優れた住宅建物とはどのようなものであるのかを理解してもらっていた。
【発明の開示】
【発明が解決しようとする課題】
【０００４】
しかし、耐震構造や免震構造に関して専門知識の無い者がカタログのみで説明することは難しく、展示住宅に訪れた購入予定者に対しても充分に説明することができない。
【０００５】
また、住宅購入予定者も耐震構造や免震構造に関して専門知識の無い場合がほとんどであるため、専門知識のある者から説明を受けても充分に理解することができない。
【０００６】
特に、耐震構造や免震構造は、住宅建物の目に見えない内部の基礎や躯体の構造に起因するものであるため、説明したり、理解したりすることが難しく、また、それ以前に地震に対して備えることの重要性を説明したり、理解したりすることが難しい。
【０００７】
本発明は、係る実情に鑑みてなされたものであって、住宅建物における耐震構造および免震構造と、地震に対して備えることの重要性とをわかり易く説明することができる耐震免震体験解説装置を提供することを目的としている。
【課題を解決するための手段】
【０００８】
上記課題を解決するための本発明の耐震免震体験解説装置は、住宅展示棟内に、起振装置が設けられるとともに、この起振装置上に横並びに耐震住宅と免震住宅とが設けられ、起振装置横には、この起振装置上の耐震住宅と免震住宅とを一階および二階から見学する通路が形成され、耐震住宅および免震住宅は、少なくともこの通路に面した部分に、耐震構造および免震構造が露出するようになされたものである。
【０００９】
また、上記課題を解決するための本発明の耐震免震体験解説装置は、住宅展示棟内に、起振装置が設けられるとともに、この起振装置上に免震住宅が設けられ、起振装置横には、この起振装置上の免震住宅を一階および二階から見学する通路が形成され、免震住宅は、少なくともこの通路に面した部分に、耐震構造および免震構造が露出するようになされるとともに、免震装置を機能させたり、機能停止させたりできるようになされたものである。
【発明の効果】
【００１０】
以上述べたように、本発明によれば、住宅建物における耐震構造や免震構造による効果やその重要性を、住宅展示棟内に設けられた住宅建物を利用してわかり易く説明することができる。また、見学者は容易に理解することができる。
【発明を実施するための最良の形態】
【００１１】
以下、本発明の実施の形態を図面を参照して説明する。
【００１２】
図１は耐震免震体験解説装置１の要部構成の概略を示し、図２および図３は同耐震免震体験解説装置１の一階および二階を示している。
【００１３】
すなわち、この耐震免震体験解説装置１は、住宅展示棟１０内に起振装置１１が設けられるとともに、この起振装置１１上に耐震住宅２と、免震住宅３とを設けて構成されている。
【００１４】
住宅展示棟１０は、その一階部分に、耐震住宅２と免震住宅３とを横並びに設けることができる巨大な起振装置１１が設けられている。また、この起振装置１１上に設けられた耐震住宅２と免震住宅３との正面は、それぞれ一階および二階に見学通路１２が設けられている。この一階と二階との見学通路１２の間は、耐震住宅２と免震住宅３とに対向する見学通路１２の背後に設けられた階段１３を介して行き来できるようになされている。この見学通路１２と起振装置１１との間には、手摺り１２ａが設けられて見学通路１２の人が不用意に起振装置１１上へと行けないようになされている。この手摺り１２ａのうち、耐震住宅２および免震住宅３の一階の掃き出し窓２１、３１と対向する部分には、一部分がスライド開閉できるようになされた出入口１４が設けられている。この出入口１４から起振装置１１上に設けられた階段１５を介して、耐震住宅２および免震住宅３へとそれぞれ入ることができるようになされている。見学者は、この出入口１４から階段１５を介して耐震住宅２および免震住宅３へと出入りできる以外は、見学通路１２しか通れないようになされている。
【００１５】
見学通路１２の一端側は機械室１６となされ、他端側は操作室１７となされ、起振装置１１の周囲は、機械室１６と操作室１７とを連絡するスタッフ専用通路１８となされている。スタッフは、スタッフ専用通路１８から、見学通路１２、または免震住宅３内以外の場所に見学者がいないことを確認して安全確認をした後、操作室１７へと入って起振装置１１を操作する。この起振装置１１は、軽度の地震（震度２程度）から強震（震度５）、烈震（震度６）、激震（震度７）といった各種の地震の震度と、その揺れ時間とを自由にコントロールすることができるようになされている。
【００１６】
耐震住宅２は、約６畳程度の一部屋のみの平屋建てで構成されており、正面には掃き出し窓２１が設けられている。また、背面にも引き違い窓２２が設けられており、両側面にはドア２３が設けられている。また、正面と両側面とは内壁および外壁が取り除かれ、耐震構造となる耐力壁軸組み２４および耐力壁ブレース２５が露出するようになされている。また、耐震住宅２の一階の内部にはテーブル４１と椅子４２と観葉植物４３とが設けられており、テーブル４１の上の天井からは電灯４４がぶら下げられている。これらテーブル４１と椅子４２と観葉植物４３とは、耐震住宅２内のマーキングされた所定の位置に設けるようになされており、起振装置１１によって引き起こされる振動によってマーキングされた位置からどの程度移動するかを確認できるようになされている。
【００１７】
耐震住宅２の二階は陸屋根２６となされ、周囲を囲う手摺り２７が設けられている。この陸屋根２６上には、振動で揺れてもその後真っ直ぐに立ち直るいわゆる起き上がり鼓舞しの玩具４５と、振動によって転跳するボール４６とが設けられている。
【００１８】
この耐震住宅２は、その基礎部分２０が起振装置１１にしっかりと固定された状態となされ、耐震住宅２が起振装置１１の振動を受けるようになされている。
【００１９】
免震住宅３は、上記耐震住宅２と同じように約６畳程度の一部屋のみの平屋建てで構成されており、正面には掃き出し窓３１が設けられている。また、背面にも引き違い窓３２が設けられており、両側面にはドア３３が設けられている。また、正面と両側面とは内壁および外壁が取り除かれ、耐震構造となる耐力壁軸組み３４および耐力壁ブレース３５が露出するようになされている。また、免震住宅３の一階の内部にはテーブル４１と椅子４２と観葉植物４３とが設けられており、テーブル４１の上の天井からは電灯４４がぶら下げられている。これらテーブル４１と椅子４２と観葉植物４３とは、免震住宅３内のマーキングされた所定の位置に設けるようになされており、起振装置１１によって引き起こされる振動によってマーキングされた位置からどの程度移動するかを確認できるようになされている。
【００２０】
免震住宅３の二階は陸屋根３６となされ、周囲を囲う手摺り３７が設けられている。この陸屋根３６上には、振動で揺れてもその後真っ直ぐに立ち直るいわゆる起き上がり鼓舞しの玩具４５と、振動によって転跳するボール４６とが設けられている。
【００２１】
この免震住宅３は、起振装置１１の上に、免震支承５とオイルダンバー６とを介して基礎部分３０を設けるようになされている。免震支承５は、傾斜の浅い皿状になった受け皿５１上に、球体状の支持球５２が遊動可能に設けられて構成されており、この支持球５２には、受け皿５１を被覆し、免震住宅３の基礎部分３０を支承するフランジ５３が一体に設けられている。この免震支承５は、免震住宅３の基礎部分３０の四隅に相当する位置に設けられる。起振装置１１による振動が起こると、受け皿５１内で支持球５２が遊動するが、受け皿５１自体が傾斜の浅い皿状になっているので、支持球５２は傾斜に沿って直ぐに元の受け皿５１の底に戻ろうとしながら遊動する。したがって、起振装置１１によって震度７以上の激震が発生しても、免震支承５によって受け皿５１内の支持球５２が直ぐに元の位置に戻ろうとしながら遊動するので、この支持球５２に一体化されたフランジ５３上に設けられた免震住宅３は、起振装置１１からの振動が免震される。また、振動が収まった後、免震住宅３は、振動が発生する前の元の位置に戻る。また、オイルダンパー６は、その一端が起振装置１１に固定され、他端が免震住宅３の基礎部分３０に固定され、免震支承５における受け皿５１内での支持球５２の遊動をある程度緩和するようになされている。このオイルダンパー６は、免震住宅３の間口方向および奥行き方向に設けられる。間口方向に沿って設けられたオイルダンパー６は、免震住宅３の正面から見た時に、免震支承５とともに見学通路１２から見えるように基礎部分３０の下に露出するように設けられている。
【００２２】
次に、このようにして構成される耐震免震体験解説装置１によって、住宅購入予定の見学者に解説を行う方法について説明する。
【００２３】
まず、案内員は、住宅展示棟１０の一階の見学通路１２に案内する。
【００２４】
案内後、耐震免震体験解説装置１のスタッフは、起振装置１１付近の危険な位置に見学者がいないことを確認し、起振装置１１を作動させる。
【００２５】
起振装置１１は震度４程度の弱震から震度７の激震までを再現する。この際、案内員は、起振装置１１によって揺れる耐震住宅２と免震住宅３を目の前にして、見学通路１２から見学する見学者に対して耐震住宅２と免震住宅３との違いを容易に説明することができる。
【００２６】
つまり、耐震住宅２では、耐震住宅２の外の起振装置１１上に設けた観葉植物４３と比べて耐震住宅２内の観葉植物４３の揺れが小さく、耐震住宅２内のテーブル４１、椅子４２、電灯４４などはそれほど移動しない。特に、震度４程度では、免震住宅３と略同程度の揺れ具合で終わる。また、震度７の激震の再現後であっても、耐震住宅２は、耐力壁軸組み２４や耐力壁ブレース２５が有効に作用し、全く壊れることもなく安全である点を実際に目で見て確認してもらうことができる。
【００２７】
また、免震住宅３では、免震住宅３の外の起振装置１１上に設けた観葉植物４３と比べて免震住宅３内の観葉植物４３の揺れが上記耐震住宅２よりも増してさらに小さく、免震住宅３内のテーブル４１、椅子４２、電灯４４などもほとんど移動しない。特に、震度７程度の激震になった場合において免震住宅３は、耐震住宅２よりも揺れ具合が少なく、免震支承５やオイルダンパー６が有効に作用している点を実際に目で見て確認してもらうことができる。
【００２８】
次に、案内した見学者のうちの数名に耐震住宅２内に入って椅子４２に着席してもらう。着席後、スタッフが安全を確認し、起振装置１１を作動させる。
【００２９】
起振装置１１は震度４程度の弱震から震度７の激震までを再現する。この際、見学者は、起振装置１１によって揺れる耐震住宅２の性能を身を持って体験することができる。つまり、耐震住宅２内から窓越しに見える起振装置１１上の観葉植物４３の揺れに比べて耐震住宅２自体の揺れが少なく、かつ耐震住宅２が壊れることなく安全であることを体験することができる。
【００３０】
また、耐震住宅２での揺れの体験後、免震住宅３内に入って椅子４２に着席してもらう。着席後、スタッフが安全を確認し、起振装置１１を作動させる。
【００３１】
起振装置１１は震度４程度の弱震から震度７の激震までを再現する。この際、見学者は、起振装置１１によって揺れる免震住宅３の性能を身を持って体験することができる。つまり、免震住宅３内から窓越しに見える起振装置１１上の観葉植物４３の揺れに比べて免震住宅３自体の揺れが少なく、かつ免震住宅３が壊れることなく安全であることを体験することができる。また、震度７の激震時には、先に体験した耐震住宅２と比較しても揺れが少なく安全であることを体験することができる。
【００３２】
次に、案内員は、階段１３から二階の見学通路１２へと見学者を案内し、前記と同様に、起振装置１１によって震度４程度の弱震から震度７の激震までを再現する。この際、二階は、一階と比べて大きな加速度がかかり揺れが強調されるので、案内員は、耐震住宅２および免震住宅３のそれぞれの二階の陸屋根２６、３６に設けた玩具４５やボール４６の動きを見学者に見てもらうことで、揺れの凄さを見てもらうことができる。その中でも免震住宅３は耐震住宅２に比して揺れが軽減されていることも実際に目で見て確認してもらうことができる。
【００３３】
このように、この耐震免震体験解説装置１によると、案内員は、耐震住宅２と免震住宅３との違い、特に震度の違いによる両者の違いや、地震に備えることの重要性を、実際の耐震住宅２および免震住宅３を使って判り易く解説することができる。同時に、購入予定の見学者は、容易に理解することができることとなる。
【００３４】
なお、本実施の形態において、起振装置１１は、震度４程度の弱震から震度７の激震までを再現するようになされているが、再現する震度については特に限定されるものではなく、所望の震度で所望の時間にわたって振動させるものであってもよい。
【００３５】
また、本実施の形態において、耐震免震体験解説装置１は、起振装置１１上に耐震住宅２と免震住宅３とが横並びに設けられているが、図４に示すように、起振装置１１上にロックアウト可能なオイルダンパー６を備えた免震住宅３のみを設けたものであってもよい。この場合、オイルダンパー６を機能させれば免震支承５も機能して免震住宅３となるが、このオイルダンパー６をロックアウトして免震支承５およびオイルダンパー６が機能しないようにすれば、通常の耐震住宅２となる。したがって、上記耐震免震体験解説装置１のように耐震住宅２と免震住宅３とを同時に見ることはできないが、一つの住宅建物で耐震住宅２と免震住宅３との違いを体験、解説することができる。図４において、図１ないし図３と対応する部材には同符号を付して説明を省略する。
【産業上の利用可能性】
【００３６】
住宅建物の販売促進を図る装置として利用できる。
【図面の簡単な説明】
【００３７】
【図１】本発明に係る耐震免震体験解説装置の要部構成の概略を示す正面図である。
【図２】本発明に係る耐震免震体験解説装置の一階部分の間取り図である。
【図３】本発明に係る耐震免震体験解説装置の二階部分の間取り図である。
【図４】（ａ）および（ｂ）は本発明に係る耐震免震体験解説装置の他の実施の形態を示す一階部分および二階部分の間取り図である。
【符号の説明】
【００３８】
１  耐震免震体験解説装置
１０  住宅展示棟
１１  起振装置
１２  見学通路
２  耐震住宅
２４  耐力壁軸組み（耐震構造）
２５  耐力壁ブレース（耐震構造）
３  免震住宅
３４  耐力壁軸組み（耐震構造）
３５  耐力壁ブレース（耐震構造）
５  免震支承（免震構造）
６  オイルダンパー（免震構造）
【図１】
2006208562.tif 000003
【図２】
2006208562.tif 000004
【図３】
2006208562.tif 000005
【図４】
2006208562.tif 000006